(57)【要約】【課題】工事現場において用いられる電子錠に対して、解錠及び施錠の少なくとも一方を行った操作者を事後的に把握できるようにする。【解決手段】電子錠１２の錠番号設定部３２は、電子錠１２の錠操作を行うための錠番号３６であって、現場作業者を識別するための業者ＩＤを含む錠番号３６を設定する。設定された錠番号３６はサーバ１８に送信され、サーバ１８から当該業者ＩＤが示す現場作業者が利用する作業者端末１４に送信される。これにより、設定された錠番号３６は、現場作業者が知るところとなる。当該現場作業者により電子錠１２に対して錠操作が行われると、錠操作が行われたことを示す錠状態情報と、錠操作のために入力した入力錠番号がサーバ１８へ送信される。サーバ１８の制御部６０は、入力錠番号に含まれる業者ＩＤ、及び錠状態情報を受信した時刻を含む錠操作履歴情報を錠操作履歴ＤＢ７６に登録する。【選択図】図１
2018003511.tif 000002
【特許請求の範囲】
【請求項１】
工事現場において用いられ現場作業者により解錠及び施錠の少なくとも一方である錠操作が行われる電子錠と、サーバと、を含む電子錠システムであって、
前記サーバは、
前記現場作業者を識別する現場作業者ＩＤを記憶するサーバ側記憶部と、
前記現場作業者ＩＤを前記電子錠に送信するサーバ側送信部と、
を備え、
前記電子錠は、
前記錠操作を行うための錠コードであって、前記サーバから受信した前記現場作業者ＩＤを含む錠コードを設定する錠コード設定部と、
前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、
を備え、
前記サーバ側記憶部は、前記錠操作情報及び前記錠コードを前記電子錠から受信した場合に、受信した前記錠コードに含まれる前記現場作業者ＩＤを含む錠操作履歴情報を記憶する、
ことを特徴とする電子錠システム。
【請求項２】
前記電子錠側送信部は、前記現場作業者により前記錠操作が行われた時点で、前記錠操作情報を前記サーバへ送信し、
前記錠操作履歴情報は、前記現場作業者ＩＤ、及び、前記現場作業者ＩＤに関連付けられた、前記サーバが前記錠操作情報を受信した時刻を示す情報を含む、
ことを特徴とする、請求項１に記載の電子錠システム。
【請求項３】
前記電子錠側送信部は、前記錠コードが設定された場合に、前記錠コードを前記サーバへ送信し、
前記サーバ側送信部は、前記電子錠から受信した前記錠コードに含まれる前記現場作業者ＩＤに対応する前記現場作業者が利用する作業者端末に前記錠コードを送信する、
ことを特徴とする、請求項１又は２に記載の電子錠システム。
【請求項４】
前記錠コード設定部は、前記錠コードを更新する更新処理を間欠的に実行する、
ことを特徴とする、請求項１から３のいずれか１項に記載の電子錠システム。
【請求項５】
前記サーバ側送信部は、前記錠操作情報、及び前記錠操作に用いられた前記錠コードを前記電子錠から受信した場合に、前記現場作業者を管理する管理者が利用する管理者端末に前記錠操作履歴情報を送信する、
ことを特徴とする、請求項１から４のいずれか１項に記載の電子錠システム。
【請求項６】
サーバと通信可能に接続され、工事現場において用いられ現場作業者により解錠及び施錠の少なくとも一方である錠操作が行われる電子錠であって、
前記電子錠は、前記現場作業者を識別する現場作業者ＩＤを前記サーバから受信するものであり、
前記錠操作を行うための錠コードであって、前記サーバから受信した前記現場作業者ＩＤを含む錠コードを設定する錠コード設定部と、
前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、
を備えることを特徴とする電子錠。
【請求項７】
工事現場において用いられ現場作業者により解錠及び施錠の少なくとも一方である錠操作が行われる電子錠であって、
前記錠操作を行うための錠コードであって、前記現場作業者を識別する現場作業者ＩＤを含む錠コードを設定する錠コード設定部と、
前記錠コードが通知された前記現場作業者により前記錠操作が行われた場合に、前記錠操作に用いられた前記錠コードに含まれる前記現場作業者ＩＤを含む錠操作履歴情報を記憶する電子錠側記憶部と、
を備えることを特徴とする電子錠。
【請求項８】
工事現場において用いられ、現場作業者により解錠及び施錠の少なくとも一方である錠操作が行われ、前記錠操作を行うための錠コードを設定する電子錠と通信可能に接続されたサーバであって、
前記現場作業者を識別するための現場作業者ＩＤを記憶するサーバ側記憶部と、
前記現場作業者ＩＤを前記電子錠に送信するサーバ側送信部と、
を備え、
前記サーバは、前記現場作業者ＩＤを含む前記錠コードが通知された前記現場作業者により前記錠操作が行われた場合に、前記錠操作が行われたことを示す錠操作情報、及び前記錠操作に用いられた前記錠コードを前記電子錠から受信し、
前記サーバ側記憶部は、前記錠操作情報及び前記錠コードを前記電子錠から受信した場合に、受信した前記錠コードに含まれる前記現場作業者ＩＤを含む錠操作履歴情報を記憶する、
ことを特徴とするサーバ。
【発明の詳細な説明】
【技術分野】
【０００１】
本発明は、電子錠システム、電子錠、及びサーバに関する。
【背景技術】
【０００２】
従来、工事現場においては、様々な目的において錠前が用いられている。例えば、作業開始前あるいは作業終了後に部外者が工事現場に立ち入るのを防ぐために、工事現場の入口に仕切り塀（例えば仮設フェンスなど）を設け、当該仕切り塀の開閉部分（例えば扉部分）を施錠するために錠前が用いられる。あるいは、工具や電子機器が収納された作業ボックスを施錠するために錠前が用いられる。
【０００３】
工事現場においては、多数の現場作業者が出入りする場合が多いことから、一般的に、工事現場で用いられる錠前としては、鍵を用いて施錠あるいは解錠（以下「錠操作」と記載する）する錠前は適していない。したがって、工事現場で用いられる錠前としては、数字などのコード合わせを行うことで錠操作を行うコード式錠が多く用いられている。コード式錠としては、施錠／解錠コードをメモリに記憶しておき、入力されたコードと解錠／施錠コードとの比較に基づいて、アクチュエータやモータを動作させて施錠状態／解錠状態が切り替わるコード式電子錠（例えば特許文献１）が知られている。
【先行技術文献】
【特許文献】
【０００４】
【特許文献１】特開２０１２−６７５１５号公報
【発明の概要】
【発明が解決しようとする課題】
【０００５】
従来のコード式錠は、単にコードを合わせることで錠操作されるものである。したがって、従来、錠操作をした操作者を事後的に把握することができなかった。特に、工事現場で用いられるコード式錠においては、多数の現場作業者が錠操作する可能性がある関係上、錠操作をした操作者を把握することが有用である場合がある。
【０００６】
例えば、工事現場入口の仕切り塀の開閉部分に取り付けられたコード式錠に対する錠操作の操作者を把握できれば、当該操作者が工事現場に立ち入ったこと、あるいは当該操作者が工事現場から立ち去ったことを推認できる。また、例えば作業ボックスに取り付けられたコード式錠に対する操作者を把握できれば、作業ボックスに保管されるべき工具などが紛失したときに調査資料として用いることができる。
【０００７】
本発明の目的は、工事現場において用いられるコード式電子錠に対して、解錠及び施錠の少なくとも一方を行った操作者を事後的に把握できるようにすることにある。
【課題を解決するための手段】
【０００８】
本発明は、工事現場において用いられ現場作業者により解錠及び施錠の少なくとも一方である錠操作が行われる電子錠と、サーバと、を含む電子錠システムであって、前記サーバは、前記現場作業者を識別する現場作業者ＩＤを記憶するサーバ側記憶部と、前記現場作業者ＩＤを前記電子錠に送信するサーバ側送信部と、を備え、前記電子錠は、前記錠操作を行うための錠コードであって、前記サーバから受信した前記現場作業者ＩＤを含む錠コードを設定する錠コード設定部と、前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、を備え、前記サーバ側記憶部は、前記錠操作情報及び前記錠コードを前記電子錠から受信した場合に、受信した前記錠コードに含まれる前記現場作業者ＩＤを含む錠操作履歴情報を記憶する、ことを特徴とする。
【０００９】
望ましくは、前記電子錠側送信部は、前記現場作業者により前記錠操作が行われた時点で、前記錠操作情報を前記サーバへ送信し、前記錠操作履歴情報は、前記現場作業者ＩＤ、及び、前記現場作業者ＩＤに関連付けられた、前記サーバが前記錠操作情報を受信した時刻を示す情報を含む、ことを特徴とする。
【００１０】
望ましくは、前記電子錠側送信部は、前記錠コードが設定された場合に、前記錠コードを前記サーバへ送信し、前記サーバ側送信部は、前記電子錠から受信した前記錠コードに含まれる前記現場作業者ＩＤに対応する前記現場作業者が利用する作業者端末に前記錠コードを送信する、ことを特徴とする。
【００１１】
望ましくは、前記錠コード設定部は、前記錠コードを更新する更新処理を間欠的に実行する、ことを特徴とする。
【００１２】
望ましくは、前記サーバ側送信部は、前記錠操作情報、及び前記錠操作に用いられた前記錠コードを前記電子錠から受信した場合に、前記現場作業者を管理する管理者が利用する管理者端末に前記錠操作履歴情報を送信する、ことを特徴とする。
【００１３】
また、本発明は、サーバと通信可能に接続され、工事現場において用いられ現場作業者により解錠及び施錠の少なくとも一方である錠操作が行われる電子錠であって、前記電子錠は、前記現場作業者を識別する現場作業者ＩＤを前記サーバから受信するものであり、前記錠操作を行うための錠コードであって、前記サーバから受信した前記現場作業者ＩＤを含む錠コードを設定する錠コード設定部と、前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、を備えることを特徴とする。
【００１４】
また、本発明は、工事現場において用いられ現場作業者により解錠及び施錠の少なくとも一方である錠操作が行われる電子錠であって、前記錠操作を行うための錠コードであって、前記現場作業者を識別する現場作業者ＩＤを含む錠コードを設定する錠コード設定部と、前記錠コードが通知された前記現場作業者により前記錠操作が行われた場合に、前記錠操作に用いられた前記錠コードに含まれる前記現場作業者ＩＤを含む錠操作履歴情報を記憶する電子錠側記憶部と、を備えることを特徴とする。
【００１５】
また、本発明は、工事現場において用いられ、現場作業者により解錠及び施錠の少なくとも一方である錠操作が行われ、前記錠操作を行うための錠コードを設定する電子錠と通信可能に接続されたサーバであって、前記現場作業者を識別するための現場作業者ＩＤを記憶するサーバ側記憶部と、前記現場作業者ＩＤを前記電子錠に送信するサーバ側送信部と、を備え、前記サーバは、前記現場作業者ＩＤを含む前記錠コードが通知された前記現場作業者により前記錠操作が行われた場合に、前記錠操作が行われたことを示す錠操作情報、及び前記錠操作に用いられた前記錠コードを前記電子錠から受信し、前記サーバ側記憶部は、前記錠操作情報及び前記錠コードを前記電子錠から受信した場合に、受信した前記錠コードに含まれる前記現場作業者ＩＤを含む錠操作履歴情報を記憶する、ことを特徴とする。
【発明の効果】
【００１６】
本発明によれば、工事現場において用いられる電子錠に対して、解錠及び施錠の少なくとも一方を行った操作者を事後的に把握できるようになる。
【図面の簡単な説明】
【００１７】
【図１】本実施形態に係る電子錠システムの構成概略図である。
【図２】作業者ＤＢのデータ構造の例を示す概念図である。
【図３】作業日程ＤＢのデータ構造の例を示す概念図である。
【図４】錠番号ＤＢのデータ構造の例を示す概念図である。
【図５】錠操作履歴ＤＢのデータ構造の例を示す概念図である。
【図６】本実施形態に係る電子錠システムの処理の流れを示すフローチャートである。
【発明を実施するための形態】
【００１８】
以下、図面に基づき本発明の実施形態について説明する。
【００１９】
図１には、本実施形態に係る電子錠システム１０の構成概略図が示されている。電子錠システム１０は、工事現場において用いられる電子錠１２、工事現場で作業を行う現場作業者が利用する作業者端末１４、工事現場あるいは現場作業者の管理を行う管理者が利用する管理者端末１６、及び、サーバ１８を含んで構成される。電子錠１２、作業者端末１４、管理者端末１６、及びサーバ１８は、例えばＬＡＮ、インターネット、あるいは携帯電話通信回線などから構成される通信回線２０を介して、互いに通信可能に接続されている。なお図１に示された電子錠システム１０においては、電子錠１２、作業者端末１４、及び管理者端末１６はそれぞれ１つずつのみ示されているが、これらは複数設けられてもよい。なお、本明細書における「現場作業者」の文言は、電子錠１２が用いられる工事現場で実際に作業をする者のみならず、単に当該工事現場に資材などを搬入／搬出する者、あるいは当該工事現場の視察や確認を行う者なども含まれる概念である。
【００２０】
電子錠１２は、現場作業者によって、解錠及び施錠の少なくとも一方（以下「錠操作」と記載する）が行われるものである。本実施形態では、電子錠１２は、工事現場の入口に設けられた仮設フェンスなどの仕切り塀を施錠するために用いられる。もちろん、電子錠１２は、それ以外の目的で用いられてよい。例えば、工事現場に設置された作業ボックスを施錠するために用いられてもよい。
【００２１】
電子錠１２の錠タイプとしては、施錠対象に対する施錠が実現できる限りにおいてどのようなものであってもよい。例えば、南京錠タイプであってもよいし、ダイヤル部及びワイヤ部を有するダイヤルロックタイプのものであってもよい。
【００２２】
制御部３０は、例えばマイクロコントローラなどを含んで構成され、後述の記憶部３４に記憶されたプログラムに従って電子錠１２の各部を制御するものである。制御部３０は、当該プログラムにより、錠コード設定部としての錠番号設定部３２としても機能する。
【００２３】
錠番号設定部３２は、電子錠１２の錠操作を行うための錠コードを設定する。錠コードは、例えば数字、文字、記号、あるいはこれらの組み合わせからなる。本実施形態では、錠コードは、８ケタの数字から構成される錠番号であるが、もちろんこれに限られない。
【００２４】
錠番号設定部３２は、電子錠１２に対して錠操作をする可能性のある者、つまり電子錠１２が用いられる工事現場の現場作業者を識別する現場作業者ＩＤを含む錠番号を設定する。本実施形態においては、当該現場作業者ＩＤはサーバ１８から送信される。本実施形態においては、８ケタの数字からなる錠番号のうち、上４ケタが業者ＩＤであり、下４ケタは錠番号設定部３２がランダムに選択した数字となっている。
【００２５】
また、本実施形態では、電子錠１２を解錠させるための解錠番号と施錠するための施錠番号が同じ番号となっているが、解錠番号及び施錠番号を別々の番号に設定するようにしてもよい。
【００２６】
記憶部３４は、例えばＲＯＭ（Read Only Memory）あるいはＲＡＭ（Randam Access Memory）などから構成される。記憶部２４には、電子錠１２の各部を動作させるためのプログラムが記憶される。
【００２７】
また、記憶部３４には、錠番号設定部３２が設定した錠番号３６が記憶される。なお、錠番号３６は、複数設定され記憶されてもよい。例えば２つの錠番号が設定されている場合は、そのうちいずれかの錠番号により錠操作が可能となる。
【００２８】
さらに、記憶部３４には、電子錠１２を一意に特定するためのシリアル番号３８が記憶されている。後述のように、シリアル番号３８は、種々の情報と共にサーバ１８へ送信されることで、当該種々の情報がいずれの電子錠１２から送信されたものであるかをサーバ１８が識別するために用いられる。
【００２９】
番号入力部４０は、例えばダイヤル部あるいは番号入力ボタンなどを含んで構成される。番号入力部４０は、電子錠１２に対して錠操作を行う現場作業者が入力錠番号を入力するためのものである。
【００３０】
施解錠部４２は、例えば、施錠対象の施錠を実現するワイヤあるいはシャックルなどの固定／解放を切り替えるためのアクチュエータ（モータあるいはソレノイドなどを含む）を含んで構成される。施解錠部４２が、制御部３０からの指示命令に従って、ワイヤあるいはシャックルなどの固定／解放を切り替えることで、電子錠１２の施錠状態及び解錠状態が切り替えられる。
【００３１】
電子錠側送信部としての通信部４４は、例えばＬＡＮアダプタあるいは近距離通信用アダプタ（ブルートゥース（登録商標）アダプタ）などを含んで構成される。通信部４４は、通信回線２０に接続するために用いられるものである。電子錠１２は、通信部４４を介して直接通信回線２０に接続してもよいし、近距離通信により工事現場に設置された通信機器との間で通信を行い、当該通信機器を介して通信回線２０に接続するようにしてもよい。通信部４４において送受信される各情報については後述する。
【００３２】
電子錠１２の構成は以上の通りである。ここで、電子錠１２の動作の概要について説明する。
【００３３】
まず、サーバ１８から業者ＩＤを受信すると、錠番号設定部３２が当該業者ＩＤを含む錠番号３６を設定し、記憶部３４に記憶させる。錠番号３６を設定したときに、制御部３０は、通信部４４に、錠番号３６及びシリアル番号３８をサーバ１８に対して送信させる。次に、番号入力部４０において現場作業者により入力錠番号が入力されると、制御部３０が当該入力錠番号を読み取る。制御部３０は、読み取った入力錠番号と記憶部３４に記憶された錠番号３６とを比較する。比較処理の結果、両者が一致した場合、施解錠部４２に施錠状態及び解錠状態の切り替えを行わせる。錠状態の切替が行われた場合（つまり錠操作が行われた場合）、制御部３０は、通信部４４に、錠操作情報としての錠状態情報、錠操作に用いられた入力錠番号、及びシリアル番号３８とをサーバ１８に対して送信させる。錠状態情報は、錠操作が行われたことを示すものであると同時に、現在の錠状態（施錠状態であるか解錠状態であるか）を示すものである。好ましくは、通信部４４は、電子錠１２に対して錠操作が行われた時点で、すなわち錠操作が行われた後直ちに、少なくとも錠状態情報をサーバ１８に送信する。
【００３４】
作業者端末１４は、上述の通り現場作業者が利用する端末であり、以下に説明する機能を実現可能な限りにおいてどのような端末であってもよい。例えばスマートフォン、タブレット型端末、あるいはＰＣ（Personal Computer）などであってよい。
【００３５】
制御部５０は、例えばマイクロコントローラなどを含んで構成され、作業者端末１４の記憶部（不図示）に記憶されたプログラムに従って作業者端末１４の各部を制御するものである。
【００３６】
通信部５２は、例えばＬＡＮアダプタあるいは携帯電話回線アンテナなどを含んで構成される。通信部４４は、通信回線２０に接続するために用いられるものである。本実施形態では、通信部５２は、電子錠１２において設定された錠番号３６をサーバ１８から受信する。
【００３７】
表示部５４は、例えば液晶パネルなどを含んで構成される。表示部５４は種々の情報を表示するものである。本実施形態では、電子錠１２において設定された錠番号が表示部５４に表示される。
【００３８】
その他、作業者端末１４には、ＲＯＭ、あるいはＲＡＭなどから構成される記憶部、タッチパネルあるいはボタンなどを含んで構成される入力部などが設けられている。
【００３９】
管理者端末１６は、上述の通り、電子錠１２が用いられる工事現場あるいは現場作業者の管理者が利用する端末である。管理者端末１６の構成概略は作業者端末１４と同様であるため、その説明は省略する。
【００４０】
サーバ１８は、以下に説明する機能を実現可能な限りの性能を有するコンピュータで構成される。サーバ１８は、１又は複数の工事現場で用いられる１又は複数の電子錠１２を管理するためのものである。さらに、サーバ１８は、電子錠１２に対して錠操作を行った操作者（現場作業者）及び操作時刻を管理するためのものである。
【００４１】
制御部６０は、例えばマイクロコントローラなどを含んで構成され、後述の記憶部６６に記憶されたプログラムに従ってサーバ１８の各部を制御するものである。
【００４２】
計時部６２は、例えば、タイマＩＣや水晶振動子、クロックモジュール等を含んで構成される。計時部６２は、現在時刻（日付含む）を計時して制御部６０に出力する。
【００４３】
サーバ側送信部としての通信部６４は、例えばＬＡＮアダプタなどを含んで構成される。通信部６４は、通信回線２０に接続するために用いられるものである。本実施形態では、通信部６４は、電子錠１２、作業者端末１４、及び管理者端末１６との間で各種情報を送受信する。
【００４４】
サーバ側記憶部としての記憶部６６は、ＲＯＭ、ＲＡＭ、あるいはハードディスクなどを含んで構成される。記憶部６６には、サーバ１８の各部を動作させるためのプログラムが記憶される。
【００４５】
また、記憶部６６には、各種ＤＢ（データベース）が記憶される。本実施形態では、記憶部６６には、作業者ＤＢ７０、作業日程ＤＢ７２、錠番号ＤＢ７４、及び錠操作履歴ＤＢ７６が記憶される。以下、適宜図２〜５を参照しながら、各ＤＢについて説明する。
【００４６】
作業者ＤＢ７０には、サーバ１８が管理する１又は複数の電子錠１２に対して錠操作を行う可能性がある現場作業者、つまり１又は複数の電子錠１２が用いられる１又は複数の工事現場で作業などを行う現場作業者の情報が記憶される。例えば、現場作業者の名前、現場作業者ＩＤ、及び連絡先などが関連付けられて記憶される。作業者ＤＢ７０には、管理者あるいは現場作業者により上記情報が登録される。例えば、管理者が管理者端末１６からサーバ１８へアクセスし、管理者が現場作業者の情報を登録する。
【００４７】
図２に、作業者ＤＢ７０のデータ構造の例が示されている。本実施形態では、作業者ＤＢ７０においては、現場作業者名、当該現場作業者が属する業者の業者名、現場作業者を識別する現場作業者ＩＤとしての業者ＩＤ、及び当該現場作業者の連絡先としてメールアドレスが関連付けられて登録されている。なお、本実施形態では、現場作業者ＩＤとして、現場作業者を業者単位で識別する業者ＩＤが用いられている。例えば、「Ａ田太郎」と「Ａ田次郎」は同じ業者「Ａ田建設」に属するから、両者には同じ業者ＩＤ「１２３４」が関連付けられている。なお、現場作業者ＩＤとしては、業者ＩＤに代えて、現場作業者単位で識別する個人ＩＤが用いられてもよい。
【００４８】
作業日程ＤＢ７２には、サーバ１８が管理する１又は複数の電子錠１２が用いられる１又は複数の工事現場の作業日程（作業予定）を示す情報が記憶される。例えば、工事現場の名前、当該工事現場で用いられる電子錠１２のシリアル番号３８、工事日、作業予定業者を示す業者ＩＤなどが関連付けられて記憶される。作業日程ＤＢ７２には、作業者ＤＢ７０同様、管理者あるいは現場作業者により上記情報が登録される。例えば、管理者が管理者端末１６からサーバ１８へアクセスし、管理者が作業日程を示す情報を登録する。
【００４９】
図３に、作業日程ＤＢ７２のデータ構造の例が示されている。本実施形態では、作業日程ＤＢ７２においては、工事現場を一意に識別する現場ＩＤ、工事現場名、当該工事現場で用いられている電子錠１２のシリアル番号３８、工事日、工事を行う予定の業者を示す業者ＩＤが関連付けられて登録されている。
【００５０】
錠番号ＤＢ７４には、サーバ１８が管理する１又は複数の電子錠１２のシリアル番号３８と、当該電子錠１２に設定された錠番号が関連付けられて記憶される。上述の通り、電子錠１２の錠番号設定部３２により錠番号３６が設定されると、当該錠番号３６及び電子錠１２のシリアル番号３８が電子錠１２からサーバ１８へ送信される。制御部６０は、電子錠１２から受信したこれらの情報を錠番号ＤＢ７４に登録する。
【００５１】
図４に、錠番号ＤＢ７４のデータ構造の例が示されている。上述の通り、１つの電子錠１２（つまり１つのシリアル番号３８）に対して複数の錠番号が関連付けられてよい。例えば、シリアル番号３８が「Ｂ０００１」である電子錠１２には錠番号として「１２３−６０４８」及び「５７６８−９９４０」が関連付けられている。つまり、シリアル番号３８が「Ｂ０００１」である電子錠１２に対しては、入力錠番号として「１２３−６０４８」及び「５７６８−９９４０」のいずれかが入力された場合に錠操作が可能となる。なお、解錠番号と施錠番号が別々に設定された場合には、錠番号ＤＢ７４において、シリアル番号３８、解錠番号、及び施錠番号が関連付けられる。
【００５２】
錠操作履歴ＤＢ７６には、サーバ１８が管理する１又は複数の電子錠１２に対する錠操作の履歴である錠操作履歴情報が記憶される。少なくとも、電子錠１２のシリアル番号３８、当該電子錠１２を解錠した現場作業者、及び当該電子錠１２を施錠した現場作業者などが関連付けられて記憶される。好ましくは、サーバ１８が錠状態情報を受信した時刻を示す情報がさらに関連付けられて記憶される。上述の通り、電子錠１２において錠操作が行われると、錠状態情報、錠番号３６、及び電子錠１２のシリアル番号３８が電子錠１２からサーバ１８へ送信される。制御部６０は、電子錠１２から受信したこれらの情報に基づいて、錠操作履歴ＤＢ７６に各種情報を登録する。
【００５３】
図５に、錠操作履歴ＤＢ７６のデータ構造の例が示されている。本実施形態では、錠操作履歴ＤＢ７６においては、電子錠１２のシリアル番号３８、当該電子錠１２が用いられている工事現場を一意に識別する現場ＩＤ、工事現場名、錠操作が行われた日付、解錠操作が行われた解錠時刻、解錠操作を行った現場作業者を識別する業者ＩＤ、解錠操作を行った現場作業者名、施錠操作が行われた施錠時刻、施錠操作を行った現場作業者を識別する業者ＩＤ、及び、施錠操作を行った現場作業者名が関連付けられて登録されている。
【００５４】
制御部６０は、電子錠１２から送信される各種情報に基づいて、錠操作履歴ＤＢ７６の各情報を登録する。錠操作履歴ＤＢ７６の登録処理の詳細については後述する。
【００５５】
以下、図６に示すフローチャートに従って、電子錠システム１０における処理の流れを説明する。なお、図６に示すフローチャートの開始時点においては、電子錠１２は工事現場の仕切り塀を施錠した状態であるとし、サーバ１８の記憶部６６には、図２に示す作業者ＤＢ７０、及び図３に示す作業日程ＤＢ７２が登録済みであるとする。
【００５６】
ステップＳ１０において、サーバ１８の制御部６０は、作業日程ＤＢ７２を参照し、本日作業が予定されている工事現場で用いられている電子錠１２に対して、当該工事現場で当日作業を行う予定の業者を示す業者ＩＤを送信する。例えば、本日が「６月２７日」であるとすると、制御部６０は、図３に示す作業日程ＤＢ７２を参照し、「山田邸（現場ＩＤ：Ａ０００１）」で用いられている電子錠１２（シリアル番号：Ｂ０００１）に対して業者ＩＤ「１２３４」及び「５７６８」を送信する。それと共に、電子錠１２（シリアル番号：Ｂ０００２）に対して業者ＩＤ「１４８７」を送信し、電子錠１２（シリアル番号：Ｂ０００３）に対して業者ＩＤ「９９８７」を送信する。本実施形態においては、ステップＳ１０における業者ＩＤの送信処理は、毎日工事現場における作業が開始される前（早朝など）に実行される。以下、シリアル番号「Ｂ０００１」の電子錠１２の処理に注目して説明する。
【００５７】
ステップＳ１２において、電子錠１２の錠番号設定部３２は、送信された業者ＩＤを含む錠番号３６を設定する。本例では、ステップＳ１０で２つの業者ＩＤが送信されているから、錠番号設定部３２は、２つの錠番号３６を設定する。当該２つの錠番号３６は、各業者に対応するものである。ここでは、錠番号３６として、業者ＩＤ「１２３４」を含む、つまり業者「Ａ田建設」に対応する錠番号「１２３４−６０４８」、及び、業者「Ｂ山建設」に対応する錠番号「５７６８−９９４０」が設定されたとする。設定された２つの錠番号３６は記憶部３４に記憶される。
【００５８】
ステップＳ１４において、電子錠１２は、ステップＳ１２で設定した２つの錠番号３６、及びシリアル番号３８をサーバ１８へ送信する。
【００５９】
ステップＳ１６において、錠番号３６及びシリアル番号３８を受信したサーバ１８は、これらを錠番号ＤＢ７４に登録する（図４参照）。
【００６０】
ステップＳ１８において、サーバ１８の制御部６０は、錠番号ＤＢ７４に登録された錠番号３６に含まれる業者ＩＤをキーとして作業者ＤＢ７０を検索し、当該業者ＩＤに関連付けられている連絡先（メールアドレス）を特定する。本例では、業者ＩＤ「１２３４」をキーとして、現場作業者「Ａ田太郎」及び「Ａ田次郎」のメールアドレスを特定する。さらに、業者ＩＤ「５７６８」をキーとして、現場作業者「Ｂ山三郎」のメールアドレスを特定する。
【００６１】
サーバ１８は、特定した連絡先（つまり作業者端末１４）に電子錠１２において設定された錠番号３６を送信する。これにより、「Ａ田太郎」、「Ａ田次郎」、及び「Ｂ山三郎」が利用する作業者端末１４の表示部５４に錠番号３６が表示され、これらの現場作業者は、電子錠１２に対して錠操作を行うための錠番号を把握できる。
【００６２】
ここで、サーバ１８は、業者ＩＤ「１２３４」に対応する「Ａ田太郎」及び「Ａ田次郎」には、当該業者ＩＤを含む錠番号「１２３４−６０４８」のみを送信し、業者ＩＤ「５７６８」に対応する「Ｂ山三郎」には、当該業者ＩＤを含む錠番号「５７６８−９９４０」のみを送信する。これにより、業者ＩＤ「１２３４」を含む錠番号「１２３４−６０４８」は、当該業者ＩＤにより識別される現場作業者（「Ａ田太郎」及び「Ａ田次郎」）のみが知り得るところとなり、同様に業者ＩＤ「５７６８」を含む錠番号「５７６８−９９４０」は、当該業者ＩＤにより識別される現場作業者（「Ｂ山三郎」）のみが知り得るところとなる。
【００６３】
ステップＳ２０において、電子錠１２の制御部３０は、現場作業者により解錠操作が行われたか否かを判定する。具体的には、番号入力部４０において入力された入力錠番号が、記憶部３４に記憶された２つの錠番号３６のいずれかに合致したか否かを判定する。解錠操作が行われるまで電子錠１２は待機し、解錠されたと判定した場合はステップＳ２２に進む。ここでは、「Ａ田太郎」が入力錠番号「１２３４−６０４８」を入力して解錠操作を行ったとする。
【００６４】
ステップＳ２０で解錠操作が行われると、電子錠１２は直ちに、ステップＳ２２において、解錠状態を示す錠状態情報、解錠操作において入力された入力錠番号「１２３４−６０４８」、及びシリアル番号３８をサーバ１８に送信する。
【００６５】
ステップＳ２４において、サーバ１８の制御部６０は、ステップＳ２２において電子錠１２から送信された情報に基づいて、錠操作履歴ＤＢ７６に各種情報を登録する。以下、錠操作履歴ＤＢ７６に対する登録処理を詳細に説明する。
【００６６】
まず、制御部６０は、受信したシリアル番号３８を錠操作履歴ＤＢ７６に登録する。次いで、作業日程ＤＢ７２（図３）を参照し、受信したシリアル番号３８から現場ＩＤ及び工事現場名を特定し、特定した現場ＩＤ及び工事現場名を錠操作履歴ＤＢ７６に登録する。
【００６７】
また、制御部６０は、電子錠１２から錠状態情報を受信した時に計時部６２から送られた時刻を取得する。本実施形態では、解錠状態を示す錠状態情報は、解錠操作が行われた後直ちにサーバ１８へ送信されるため、解錠状態を示す錠状態情報を受信した時刻を電子錠１２の解錠時刻とみなすことができる。さらに、上述の通り、本実施形態においては、電子錠１２は、工事現場の仕切り塀を施錠するために用いられることから、電子錠１２が解錠された時刻をして、解錠した現場作業者が工事現場に入場した時刻（工事開始時刻）であると擬制している。制御部６０は、このように特定した日付及び解錠時刻（入場時刻）を錠操作履歴ＤＢ７６に登録する。
【００６８】
また、制御部６０は、解錠操作において入力された入力錠番号「１２３４−６０４８」に含まれる業者ＩＤを取得する。本実施形態では、入力錠番号「１２３４−６０４８」の上４ケタである「１２３４」を業者ＩＤとして取得する。さらに、制御部６０は、取得した業者ＩＤ「１２３４」をキーとして作業者ＤＢ７０（図２）を検索し、業者ＩＤ「１２３４」に関連付けられた業者名「Ａ田建設」を特定する。そして、取得した業者ＩＤ及び業者名を錠操作履歴ＤＢ７６に登録する（図５の１番目のレコード参照）。
【００６９】
ステップＳ２６において、サーバ１８は、ステップＳ２４において錠操作履歴ＤＢ７６に登録された各種情報を管理者端末１６に送信する。サーバ１８は、錠操作履歴ＤＢ７６に登録された全ての情報を送信してもよいが、本例では、現場名、日付、解錠時刻（入場時刻）、及び解錠業者を示す情報を送信する。これにより、これらの情報が管理者端末１６の表示部（不図示）に表示される。
【００７０】
以下のステップＳ２８からＳ３４は電子錠１２が施錠された場合の処理である。基本的は処理の流れは、解錠された場合の処理であるステップＳ２０からＳ２６までの処理と同様である。
【００７１】
ステップＳ２８において、電子錠１２の制御部３０は、現場作業者により施錠操作が行われたか否かを判定する。具体的には、番号入力部４０において入力された入力錠番号が、記憶部３４に記憶された２つの錠番号３６のいずれかに合致したか否かを判定する。施錠操作が行われるまで電子錠１２は待機し、施錠されたと判定した場合はステップＳ３０に進む。ここでは、「Ｂ山三郎」が入力錠番号「５７６８−９９４０」を入力して施錠操作を行ったとする。
【００７２】
ステップＳ２８で施錠操作が行われると、電子錠１２は直ちに、ステップＳ３０において、施錠状態を示す錠状態情報、施錠操作において入力された入力錠番号「５７６８−９９４０」、及びシリアル番号３８をサーバ１８に送信する。
【００７３】
ステップＳ３２において、サーバ１８の制御部６０は、ステップＳ３０において電子錠１２から送信された情報に基づいて、錠操作履歴ＤＢ７６に各種情報を登録する。
【００７４】
まず、制御部６０は、受信したシリアル番号３８を錠操作履歴ＤＢ７６に登録する。次いで、作業日程ＤＢ７２（図３）を参照し、受信したシリアル番号３８から現場ＩＤ及び工事現場名を特定し、特定した現場ＩＤ及び工事現場名を錠操作履歴ＤＢ７６に登録する。なお、受信したシリアル番号３８と計時部６２から取得された日付との組に関するレコードが既に錠操作履歴ＤＢ７６に登録されている場合は、以下の情報は、当該レコードに追加する形で登録してもよい。
【００７５】
制御部６０は、電子錠１２から錠状態情報を受信した時に計時部６２から送られた時刻を取得する。本実施形態では、施錠状態を示す錠状態情報は、施錠操作が行われた後直ちにサーバ１８へ送信されるため、施錠状態を示す錠状態情報を受信した時刻を電子錠１２の施錠時刻とみなすことができる。さらに、上述の通り、本実施形態においては、電子錠１２は、工事現場の仕切り塀を施錠するために用いられることから、電子錠１２が施錠された時刻をして、施錠した現場作業者が工事現場から退場した時刻（工事終了時刻）であると擬制している。制御部６０は、このように特定した日付及び施錠時刻（退場時刻）を錠操作履歴ＤＢ７６に登録する。
【００７６】
また、制御部６０は、施錠操作において入力された入力錠番号「５７６８−９９４０」に含まれる業者ＩＤを取得する。本実施形態では、入力錠番号「５７６８−９９４０」の上４ケタである「５７６８」を業者ＩＤとして取得する。さらに制御部６０は、取得した業者ＩＤ「５７６８」をキーとして作業者ＤＢ７０（図２）を検索し、業者ＩＤ「５７６８」に関連付けられた業者名「Ｂ山建設」を特定する。そして、取得した業者ＩＤ及び業者名を錠操作履歴ＤＢ７６に登録する（図５の１番目のレコード参照）。
【００７７】
ステップＳ３４において、サーバ１８は、ステップＳ３２において錠操作履歴ＤＢ７６に登録された各種情報を管理者端末１６に送信する。本例では、現場名、日付、施錠時刻（退場時刻）、及び施錠業者を示す情報を送信する。これにより、これらの情報が管理者端末１６の表示部に表示される。
【００７８】
以上説明した通り、電子錠システム１０においては、電子錠１２の錠番号設定部３２は、現場作業者を識別するための業者ＩＤを含む錠番号３６を設定する。設定された錠番号３６は、それに含まれる業者ＩＤが示す業者のみに開示され、当該業者のみが知るところとなる。その上で、電子錠１２に入力錠番号が入力されて錠操作が行われると、当該入力錠番号がサーバ１８へ送信される。入力錠番号には錠操作を行った業者を示す業者ＩＤが含まれているから、当該入力錠番号から取得される業者ＩＤに基づいて、錠操作を行った業者を識別することができる。錠操作を行った業者を示す業者ＩＤを含む錠操作履歴情報がサーバ１８から管理者端末１６へ送信されることで、管理者は、工事現場から遠隔にいながらにして、電子錠１２に対して錠操作されたこと、及び錠操作した業者を把握することができる。
【００７９】
また、電子錠システム１０においては、錠操作が行われた時点で、錠状態情報がサーバ１８へ送信される。したがって、サーバ１８が錠状態情報を受信した時刻が、電子錠１２において錠操作が行われた時刻であると擬制できる。錠操作履歴ＤＢ７６には、錠操作を行った業者に関連付けられて、錠操作を行った操作時刻も登録される。これにより、管理者は、電子錠に対して錠操作を行った業者のみならず、その操作時刻をも把握できる。例えば、本実施形態のように、電子錠１２が、工事現場の入口に設けられた仕切り塀を施錠するものであるならば、当該操作時刻を業者の工事現場への入場時刻及び退場時刻として利用することが可能である。
【００８０】
さらに、電子錠システム１０によれば、錠番号設定部３２により設定される錠番号３６には、ランダムに設定される下４ケタの番号を含んでいる。これにより、各工事現場毎に電子錠１２の錠番号３６が異なるものとなる。また、錠番号設定部３２が毎日錠番号を更新設定する（つまり間欠的に錠番号３６の更新処理を行う）ならば、日毎に錠番号が異なるものとなる。さらに、錠番号３６はサーバ１８（作業者ＤＢ７０）に登録された現場作業者にのみ通知される。これらの特徴により、例えば部外者など、本来電子錠１２を解錠すべきでない者が電子錠１２を解錠することがより困難になる。つまり電子錠１２のセキュリティレベルの向上が期待できる。
【００８１】
以上、本発明に係る実施形態を説明したが、本発明は上記実施形態に限られるものではなく、本発明の趣旨を逸脱しない限りにおいて種々の変更が可能である。
【００８２】
例えば、電子錠１２の錠番号設定部３２は、１日のうちで複数回、錠番号３６を設定（つまり更新）するようにしてもよい。例えば、錠番号設定部３２は、１時間毎、３時間毎、あるいは６時間毎などに錠番号３６を更新する更新処理を実行する。この場合、工事現場における作業が開始される前にサーバ１８から送信された業者ＩＤを電子錠１２の記憶部３４に保持しておき、当日の間は保持した業者ＩＤを含む錠番号３６を再設定する。錠番号３６が更新される度に、電子錠１２から更新した錠番号３６とシリアル番号３８がサーバ１８へ送信され、サーバ１８から作業者端末１４に錠番号３６が送信される。間欠的に錠番号３６が更新されることで、電子錠１２のセキュリティレベルをより向上させることができる。
【００８３】
また、電子錠システム１０においては、サーバ１８が１又は複数の電子錠１２の錠操作履歴を取得していたが、１つの電子錠１２の錠操作履歴を取得するという観点からは、電子錠１２をスタンドアロンで動作させることも可能である。この場合、作業者ＤＢ７０、作業日程ＤＢ７２（そのうち少なくとも日付及び作業予定業者ＩＤ）、及び錠操作履歴ＤＢ７６（そのうち少なくとも、日付、解錠時刻、解錠者ＩＤ、施錠時刻、施錠者ＩＤ）が電子錠側記憶部としての記憶部３４に記憶される。また、電子錠１２には現在時刻を計時する計時部が設けられる。
【００８４】
電子錠１２がスタンドアロンで動作する場合、錠番号設定部３２が錠番号３６を設定した場合に、通信部４４から作業者端末１４に錠番号３６を示す情報が送信される。そして、現場作業者により番号入力部４０に入力錠番号が入力されて錠操作がされると、制御部３０は、入力錠番号から業者ＩＤを取得し、当該業者ＩＤを含む錠操作履歴情報を記憶部３４に記憶された錠操作履歴ＤＢ７６に登録する。好ましくは、制御部３０は、錠操作された時の操作時刻を取得し、当該業者ＩＤと操作時刻とを関連付けて錠操作履歴ＤＢ７６に登録する。そして、錠操作履歴ＤＢ７６に錠操作履歴情報が登録された場合に、電子錠１２の通信部４４から登録された錠操作履歴情報が管理者端末１６に送信される。
【符号の説明】
【００８５】
１０  電子錠システム、１２  電子錠、１４  作業者端末、１６  管理者端末、１８  サーバ、２０  通信回線、３０，５０，６０  制御部  ３２  錠番号設定部、３４，６６  記憶部、３６  錠番号、３８  シリアル番号、４０  番号入力部、４２  施解錠部、４４，５２，６４  通信部、５４  表示部、６２  計時部、７０  作業者ＤＢ、７２  作業日程ＤＢ、７４  錠番号ＤＢ、７６  錠操作履歴ＤＢ。
【図１】
2018003511.tif 000003
【図２】
2018003511.tif 000004
【図３】
2018003511.tif 000005
【図４】
2018003511.tif 000006
【図５】
2018003511.tif 000007
【図６】
2018003511.tif 000008
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
工事現場において用いられ現場作業者により解錠及び施錠の少なくとも一方である錠操作が行われる電子錠と、サーバと、を含む電子錠システムであって、
前記サーバは、
前記現場作業者を識別する現場作業者ＩＤを記憶するサーバ側記憶部と、
前記現場作業者ＩＤを前記電子錠に送信するサーバ側送信部と、
を備え、
前記電子錠は、
前記錠操作を行うための錠コードであって、前記サーバから受信した前記現場作業者ＩＤを含む錠コードを設定する錠コード設定部と、
前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、
を備え、
前記サーバ側記憶部は、前記錠操作情報及び前記錠コードを前記電子錠から受信した場合に、受信した前記錠コードに含まれる前記現場作業者ＩＤを含む錠操作履歴情報を記憶し、
前記錠コード設定部は、前記錠コードを更新する更新処理を間欠的に実行する、
ことを特徴とする電子錠システム。
【請求項２】
前記電子錠側送信部は、前記現場作業者により前記錠操作が行われた時点で、前記錠操作情報を前記サーバへ送信し、
前記錠操作履歴情報は、前記現場作業者ＩＤ、及び、前記現場作業者ＩＤに関連付けられた、前記サーバが前記錠操作情報を受信した時刻を示す情報を含む、
ことを特徴とする、請求項１に記載の電子錠システム。
【請求項３】
前記電子錠側送信部は、前記錠コードが設定された場合に、前記錠コードを前記サーバへ送信し、
前記サーバ側送信部は、前記電子錠から受信した前記錠コードに含まれる前記現場作業者ＩＤに対応する前記現場作業者が利用する作業者端末に前記錠コードを送信する、
ことを特徴とする、請求項１又は２に記載の電子錠システム。
【請求項４】
前記サーバ側送信部は、前記錠操作情報、及び前記錠操作に用いられた前記錠コードを前記電子錠から受信した場合に、前記現場作業者を管理する管理者が利用する管理者端末に前記錠操作履歴情報を送信する、
ことを特徴とする、請求項１から３のいずれか１項に記載の電子錠システム。
【請求項５】
サーバと通信可能に接続され、工事現場において用いられ現場作業者により解錠及び施錠の少なくとも一方である錠操作が行われる電子錠であって、
前記電子錠は、前記現場作業者を識別する現場作業者ＩＤを前記サーバから受信するものであり、
前記錠操作を行うための錠コードであって、前記サーバから受信した前記現場作業者ＩＤを含む錠コードを設定する錠コード設定部と、
前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、
を備え、
前記錠コード設定部は、前記錠コードを更新する更新処理を間欠的に実行する、
ことを特徴とする電子錠。
【請求項６】
工事現場において用いられ現場作業者により解錠及び施錠の少なくとも一方である錠操作が行われる電子錠であって、
前記錠操作を行うための錠コードであって、前記現場作業者を識別する現場作業者ＩＤを含む錠コードを設定する錠コード設定部と、
前記錠コードが通知された前記現場作業者により前記錠操作が行われた場合に、前記錠操作に用いられた前記錠コードに含まれる前記現場作業者ＩＤを含む錠操作履歴情報を記憶する電子錠側記憶部と、
を備え、
前記錠コード設定部は、前記錠コードを更新する更新処理を間欠的に実行する、
ことを特徴とする電子錠。
【請求項７】
工事現場において用いられ、現場作業者により解錠及び施錠の少なくとも一方である錠操作が行われ、前記錠操作を行うための錠コードを設定する電子錠と通信可能に接続されたサーバであって、
前記現場作業者を識別するための現場作業者ＩＤを記憶するサーバ側記憶部と、
前記現場作業者ＩＤを前記電子錠に送信するサーバ側送信部と、
を備え、
前記サーバは、前記現場作業者ＩＤを含む前記錠コードが通知された前記現場作業者により前記錠操作が行われた場合に、前記錠操作が行われたことを示す錠操作情報、及び前記錠操作に用いられた前記錠コードを前記電子錠から受信し、
前記サーバ側記憶部は、前記錠操作情報及び前記錠コードを前記電子錠から受信した場合に、受信した前記錠コードに含まれる前記現場作業者ＩＤを含む錠操作履歴情報を記憶し、
前記錠コードは、前記電子錠によって間欠的に更新される、
ことを特徴とするサーバ。
【手続補正２】
【補正対象書類名】明細書
【補正対象項目名】０００８
【補正方法】変更
【補正の内容】
【０００８】
本発明は、工事現場において用いられ現場作業者により解錠及び施錠の少なくとも一方である錠操作が行われる電子錠と、サーバと、を含む電子錠システムであって、前記サーバは、前記現場作業者を識別する現場作業者ＩＤを記憶するサーバ側記憶部と、前記現場作業者ＩＤを前記電子錠に送信するサーバ側送信部と、を備え、前記電子錠は、前記錠操作を行うための錠コードであって、前記サーバから受信した前記現場作業者ＩＤを含む錠コードを設定する錠コード設定部と、前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、を備え、前記サーバ側記憶部は、前記錠操作情報及び前記錠コードを前記電子錠から受信した場合に、受信した前記錠コードに含まれる前記現場作業者ＩＤを含む錠操作履歴情報を記憶し、前記錠コード設定部は、前記錠コードを更新する更新処理を間欠的に実行する、ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
また、本発明は、サーバと通信可能に接続され、工事現場において用いられ現場作業者により解錠及び施錠の少なくとも一方である錠操作が行われる電子錠であって、前記電子錠は、前記現場作業者を識別する現場作業者ＩＤを前記サーバから受信するものであり、前記錠操作を行うための錠コードであって、前記サーバから受信した前記現場作業者ＩＤを含む錠コードを設定する錠コード設定部と、前記錠コードが通知された前記現場作業者により前記錠操作が行われた場合に、前記錠操作が行われたことを示す錠操作情報、及び前記錠操作に用いられた前記錠コードを前記サーバへ送信する電子錠側送信部と、を備え、前記錠コード設定部は、前記錠コードを更新する更新処理を間欠的に実行する、ことを特徴とする。
【手続補正５】
【補正対象書類名】明細書
【補正対象項目名】００１４
【補正方法】変更
【補正の内容】
【００１４】
また、本発明は、工事現場において用いられ現場作業者により解錠及び施錠の少なくとも一方である錠操作が行われる電子錠であって、前記錠操作を行うための錠コードであって、前記現場作業者を識別する現場作業者ＩＤを含む錠コードを設定する錠コード設定部と、前記錠コードが通知された前記現場作業者により前記錠操作が行われた場合に、前記錠操作に用いられた前記錠コードに含まれる前記現場作業者ＩＤを含む錠操作履歴情報を記憶する電子錠側記憶部と、を備え、前記錠コード設定部は、前記錠コードを更新する更新処理を間欠的に実行する、ことを特徴とする。
【手続補正６】
【補正対象書類名】明細書
【補正対象項目名】００１５
【補正方法】変更
【補正の内容】
【００１５】
また、本発明は、工事現場において用いられ、現場作業者により解錠及び施錠の少なくとも一方である錠操作が行われ、前記錠操作を行うための錠コードを設定する電子錠と通信可能に接続されたサーバであって、前記現場作業者を識別するための現場作業者ＩＤを記憶するサーバ側記憶部と、前記現場作業者ＩＤを前記電子錠に送信するサーバ側送信部と、を備え、前記サーバは、前記現場作業者ＩＤを含む前記錠コードが通知された前記現場作業者により前記錠操作が行われた場合に、前記錠操作が行われたことを示す錠操作情報、及び前記錠操作に用いられた前記錠コードを前記電子錠から受信し、前記サーバ側記憶部は、前記錠操作情報及び前記錠コードを前記電子錠から受信した場合に、受信した前記錠コードに含まれる前記現場作業者ＩＤを含む錠操作履歴情報を記憶し、前記錠コードは、前記電子錠によって間欠的に更新される、ことを特徴とする。